(57)【要約】【課題】薄型物品を保持する個所を容易に形成できるとともに、台紙が不必要に厚くならず、かつ、外観的にも見栄えのよい薄型物品用ホルダ、およびその製造方法を提供すること。【解決手段】薄型物品用ホルダ１は、１枚のシート素材１００を折り重ねることにより、第１シート部１ａと第２シート部１ｂとが重なる台紙１０を形成し、かかる台紙１０をさらに折り曲げて、見開きの複数の頁部１１、１２を形成する。第１シート部１ａと第２シート部１ｂとは、シート素材１００の折り曲げ部分１１０を除く端部（３つの辺１２０、１３０、１４０）で接着してあり、内側の第１シート部１ａには、名刺などの薄型物品の端部を挿入するスリット２１１、２１２、２２１、２２２、２３１、２３２、２４１、２４２が形成されている。【選択図】図１
2010052312.tif 000002
【特許請求の範囲】
【請求項１】
書類、名刺、写真、シート状サンプル、情報記録ディスクなどの薄型物品を保持する薄型物品用ホルダであって、
１枚のシート素材を折り重ねることにより第１シート部と第２シート部とが重なる台紙を備え、
当該台紙において、前記第１シート部と前記第２シート部とは端部同士が結合されており、
前記台紙は、前記第１シート部によって見開きの複数の頁部が形成されるように当該第１シート部を内側にして折り曲げられ、
前記第１シート部には、前記薄型物品の端部が差し込まれるスリットが形成されていることを特徴とする薄型物品用ホルダ。
【請求項２】
前記シート素材には、該シート素材を折り重ねた際に外側に位置する面側に印刷が施されていることを特徴とする請求項１に記載の薄型物品用ホルダ。
【請求項３】
前記シート素材は、紙製である請求項１または２に記載の薄型物品用ホルダ。
【請求項４】
前記台紙は、当該台紙の折り曲げ部分と紙の目とが平行であることを特徴とする請求項３に記載の薄型物品用ホルダ。
【請求項５】
前記第１シート部と前記第２シート部とは、前記シート素材の折り曲げ部分を除く３辺に沿っての接着により端部同士が結合されていることを特徴とする請求項１乃至４の何れか一項に記載の薄型物品用ホルダ。
【請求項６】
前記第１シート部には、前記台紙の２つ折りにより、前記見開きの複数の頁部として、見開き２つの頁部が形成されていることを特徴とする請求項１乃至５の何れか一項に記載の薄型物品用ホルダ。
【請求項７】
書類、名刺、写真、シート状サンプル、情報記録ディスクなどの薄型物品を保持する薄型物品用ホルダの製造方法において、
１枚のシート素材を折り重ねることにより第１シート部と第２シート部とが重なる台紙を形成するとともに、前記第１シート部および前記第２シート部の端部同士を結合させる台紙形成工程と、
前記第１シート部によって見開きの複数の頁部が形成されるように当該第１シート部を内側にして前記台紙を折り曲げる台紙折り曲げ工程と、
を有し、
前記台紙形成工程の前に、前記シート素材において前記第１シート部となるべき領域に、前記薄型物品の端部が差し込まれるスリットを形成するスリット形成工程を行なうことを特徴とする薄型物品用ホルダの製造方法。
【請求項８】
前記台紙形成工程の前に、前記シート素材に対して、該シート素材を前記台紙形成工程で折り重ねた際に外側に位置する面側に印刷を行なう印刷工程を有していることを特徴とする請求項７に記載の薄型物品用ホルダの製造方法。
【請求項９】
前記薄型物品を１枚保持するのに必要な前記スリットを形成するための型材を複数、準備しておき、
前記スリット形成工程では、前記複数の型材のうち、指定された型材を用いて前記スリットを形成することを特徴とする請求項７または８に記載の薄型物品用ホルダの製造方法。
【発明の詳細な説明】
【技術分野】
【０００１】
本発明は、書類、名刺、写真、シート状サンプル、情報記録ディスクなどの薄型物品を保持する薄型物品用ホルダ、およびその製造方法に関するものである。
【背景技術】
【０００２】
書類、名刺、情報記録ディスク、情報ディスク収納ケースなどの薄型物品を保持する薄型物品用ホルダとしては、例えば、プラスチック製のシートの一部を折り曲げるとともに、かかる折り曲げ部分の縁をベース部分に熱溶着して袋状にしたものが提案されている（特許文献１参照）。
【特許文献１】特開２００２−２６４５７６号公報
【発明の開示】
【発明が解決しようとする課題】
【０００３】
しかしながら、特許文献１に開示の構成のように、シートの折り曲げ部分の縁をベース部分に熱溶着して袋状にしたものでは、薄型物品を複数枚、保持可能にするには、袋状の収納部の各々に熱溶着を行なう必要があり、製造に多大な手間がかかるという問題点がある。
【０００４】
また、特許文献１に開示の構成では、シートのベース部分が台紙となるが、台紙が薄いと変形しやすく、薄型物品を複数枚、保持すると、その重みで台紙が変形してしまう。一方、厚いシートで台紙を構成すると、袋状の収納部を構成した部分では厚いシートが２枚重ねになってしまうので、薄型物品用ホルダが無駄に分厚くなってしまう。
【０００５】
以上の問題点に鑑みて、本発明の課題は、薄型物品を保持する個所を容易に形成できるとともに、台紙が不必要に厚くならず、かつ、外観的にも見栄えのよい薄型物品用ホルダ、およびその製造方法を提供することにある。
【課題を解決するための手段】
【０００６】
上記課題を解決するために、本発明では、書類、名刺、写真、シート状サンプル、情報記録ディスクなどの薄型物品を保持する薄型物品用ホルダであって、１枚のシート素材を折り重ねることにより第１シート部と第２シート部とが重なる台紙を備え、当該台紙において、前記第１シート部と前記第２シート部とは端部同士が結合されており、前記台紙は、前記第１シート部によって見開きの複数の頁部が形成されるように当該前記第１シート部を内側にして折り曲げられ、前記第１シート部には、前記薄型物品の端部が差し込まれるスリットが形成されていることを特徴とする。
【０００７】
本発明では、書類、名刺、写真、シート状サンプル、情報記録ディスクなどの薄型物品を保持する薄型物品用ホルダの製造方法において、１枚のシート素材を折り重ねることにより第１シート部と第２シート部とが重なる台紙を形成するとともに、前記第１シート部および前記第２シート部の端部同士を結合させる台紙形成工程と、前記第１シート部によって見開きの複数の頁部が形成されるように当該第１シート部を内側にして前記台紙を折り曲げる台紙折り曲げ工程と、を有し、前記台紙形成工程の前に、前記シート素材において前記第１シート部となるべき領域に、前記薄型物品の端部が差し込まれるスリットを形成するスリット形成工程を行なうことを特徴とする。
【０００８】
本発明では、１枚のシート素材を折り重ねることにより、第１シート部と第２シート部とが重なる台紙を形成し、かかる台紙をさらに折り曲げて、見開きの複数の頁部を形成する。かかる構成によれば、シート素材が比較的薄い場合でも、丈夫な台紙を得ることができるので、薄くて丈夫な薄型物品用ホルダを実現することができる。また、台紙は２重になっており、かつ、第１シート部と第２シート部とは、端部同士を結合させてあるので、内側の第１シート部にスリットを形成しておくだけで、薄型物品の端部をスリットに差し込んで、薄型物品を保持することができる。従って、薄型物品を収納する個所毎に折り曲げ部分を形成して熱溶着するという手間のかかる作業を行なう必要がない。また、スリットになっている部分以外は２重になっているので、シート素材として比較的薄いものを用いた場合でも、薄型物品を保持した際、台紙が変形することもない。
【０００９】
本発明において、前記シート素材には、該シート素材を折り重ねた際に外側に位置する面側に印刷が施されていることが好ましい。この場合、薄型物品用ホルダの製造方法では、前記台紙形成工程の前に、前記シート素材に対して、該シート素材を前記台紙形成工程で折り重ねた際に外側に位置する面側に印刷を行なう印刷工程を行なうことが好ましい。すなわち、シート素材を台紙形成工程で折り重ねた際に外側に位置する面側のみに片面印刷を行なえばよいので、印刷工程を効率よく行なうことができる。
【００１０】
本発明において、前記シート素材は、紙製であることが好ましい。かかる構成によれば、使用済みの薄型物品用ホルダの処理が容易である。この場合、前記台紙は、当該台紙の折り曲げ部分と紙の目（紙の繊維が平行になっている方向）とが平行であることが好ましい。台紙は２重になっているので、１重の場合に比較して折り曲げにくいが、台紙の折り曲げ部分と紙の目を平行にすれば、２重の台紙を綺麗に折り曲げることができる。
【００１１】
本発明において、前記第１シート部と前記第２シート部とは前記シート素材の折り曲げ部分を除く３辺に沿っての接着により端部同士が結合されていることが好ましい。このように構成すると、丈夫な台紙を構成することができる。また、第１シート部と第２シート部とが袋状になっているので、スリットから物品が入り込んでも、脱落することがなく、便利である。
【００１２】
本発明において、前記第１シート部には、前記台紙の２つ折りにより、前記見開きの複数の頁部として、見開き２つの頁部が形成されている構成を採用することができる。
【００１３】
本発明においては、前記薄型物品を１つ保持するのに必要な前記スリットを形成するための型材を複数、準備しておき、前記スリット形成工程では、前記複数の型材のうち、指定された型材を用いて前記スリットを形成することが好ましい。このように構成すると、１頁全体に対する型材を準備した場合と違って、スリットのレイアウトを変更する場合でも、型材を新たに準備する必要がない。
【発明の効果】
【００１４】
本発明では、１枚のシート素材を折り重ねることにより、第１シート部と第２シート部とが重なる台紙を形成し、かかる台紙をさらに折り曲げて、見開きの複数の頁部を形成する。かかる構成によれば、シート素材が比較的薄い場合でも、丈夫な台紙を得ることができるので、薄くて丈夫な薄型物品用ホルダを実現することができる。また、台紙は２重になっており、かつ、第１シート部と第２シート部とは、シート素材の折り曲げ部分を除く端部で結合させてあるので、内側の第１シート部にスリットを形成しておくだけで、薄型物品の端部をスリットに差し込んで、薄型物品を保持することができる。従って、薄型物品を収納する個所毎に折り曲げ部分を形成して熱溶着するという手間のかかる作業を行なう必要がない。また、スリットになっている部分以外は２重になっているので、シート素材として比較的薄いものを用いた場合でも、薄型物品を保持した際、台紙が変形することもない。
【発明を実施するための最良の形態】
【００１５】
図面を参照して、本発明の実施の形態を説明する。
【００１６】
（全体構成）
図１（ａ）、（ｂ）、（ｃ）は各々、本発明を適用したホルダの外観を右側からみたときの説明図、このホルダの外観を左側からみたときの説明図、およびホルダを開いたときの内側の様子を示す説明図である。図２（ａ）、（ｂ）、（ｃ）は各々、本発明を適用したホルダに形成したスリットを拡大して示す説明図、スリット形成部分の断面図、およびホルダに名刺などを保持した状態を示す説明図である。
【００１７】
図１（ａ）、（ｂ）、（ｃ）において、本形態の薄型物品用ホルダ１は、書類、名刺、写真、シート状サンプル、情報記録ディスク（ＣＤやＤＶＤなど）などの薄型物品を保持するホルダであって、１枚のシート素材１００を折り重ねることにより、第１シート部１ａと第２シート部１ｂとが重なる台紙１０を備えている。従って、台紙１０の一方面側は第１シート部１ａになっており、台紙１０の他方面側は第２シート部１ｂになっている。シート素材１００としては、紙、プラスチックなどを用いることができ、本形態において、シート素材１００としては紙が用いられている。
【００１８】
台紙１０において、第１シート部１ａと第２シート部１ｂとは端部同士が結合されている。本形態において、第１シート部１ａと第２シート部１ｂとはシート素材１００の折り曲げ部分１１０を除く３辺１２０、１３０、１４０に沿って接着剤や両面テープにより接着され、かかる接着により端部同士が結合されている。
【００１９】
台紙１０は、第１シート部１ａによって見開きの２つの頁部１１、１２が形成されるように第１シート部１ａを内側にして折り曲げられている。従って、台紙１０において、内側の面は第１シート部１ａであり、外側の面が第２シート部１ｂである。ここで、台紙１０の折り曲げ部分１５０では、第１シート部１ａと第２シート部１ｂとが接着されていないため、見栄えよく折り曲げられている。また、台紙１０の折り曲げ部分１５０は、シート素材１００に用いた紙の目と平行になっている。
【００２０】
また、台紙１０において、第１シート部１ａには、２つの頁部１１、１２の各々に、薄型物品の端部が差し込まれる複数のスリットが形成されている。
【００２１】
かかる複数のスリットとして、例えば、本形態では、左側の頁部１１の上半部には、２つの円弧状のスリット２１１、２１２からなる第１の名刺保持部２１と、２つの円弧状のスリット２２１、２２２からなる第２の名刺保持部２２とが上下２段に形成されている。第１の名刺保持部２１において、スリット２１１、２１２同士は斜め位置に配置されており、スリット２１１、２１２は、互いに他方側のスリットに向けて円弧状に張り出した形状に切り抜かれている。第２の名刺保持部２２においても、第１の名刺保持部２１と同様、スリット２２１、２２２同士は斜め位置に配置されており、スリット２２１、２２２は、互いに他方側のスリットに向けて円弧状に張り出した形状に切り抜かれている。
【００２２】
また、頁部１１の下半部には、斜めに直線的に延在する下側のスリット２３２と、円弧状の上側のスリット２３１とからなるディスク保持部２３が形成されており、上側のスリット２３１は、下側のスリット２３２に向けて円弧状に張り出した形状に切り抜かれている。
【００２３】
また、右側の頁部１２には、斜めに直線的に延在する２つのスリット２４１、２４２からなるカタログ保持部２４が形成されており、かかるカタログ保持部２４において、スリット同士は斜め位置に平行に配置されている。
【００２４】
かかるスリットの構成を第１の名刺保持部２１のスリット２１１を例に詳述する。図２（ａ）に示すように、スリット２１１は、第１シート部１ａを細く切り抜いた構成になっており、その両端部は丸みを有している。スリット２１１は、第１シート部１ａのみを切り抜いてあるため、図２（ｂ）に示すように、スリット２１１の背後には第２シート部１ｂが存在する。図１を参照して説明した他のスリットでも同様である。
【００２５】
このように構成した薄型物品用ホルダ１において、図２（ｃ）に示すように、第１の名刺保持部２１および第２の名刺保持部２２では、名刺２１０、２２０において対角に位置する角部分（端部）をスリット２１１、２１２、２２１、２２２に差し込むと、名刺２１０、２２０が薄型物品用ホルダ１に保持された状態となる。また、ディスク保持部２３では、情報記録ディスクを角形袋状のケース２３０に収納した後、ケース２３０において対向する端部を各々、スリット２３１、２３２に差し込むと、情報記録ディスクはケース２３０とともに薄型物品用ホルダ１に保持された状態となる。また、カタログ保持部２４では、カタログ２４０の対角に位置する角部分（端部）をスリット２４１、２４２に差し込むと、カタログ２４０が薄型物品用ホルダ１に保持された状態となる。
【００２６】
再び図１において、シート素材１００には、シート素材１００を折り重ねた際に外側に位置する面側に印刷が施されている。より具体的には、薄型物品用ホルダ１の外側において、第２シート部１ｂの表表紙部分にはパターンＥが印刷され、裏表紙部分にはパターンＤが印刷されている。また、薄型物品用ホルダ１の内側において、第１シート部１ａの左側の頁部１１にパターンＡ、Ｂが印刷され、右側の頁部１２にはパターンＣが印刷されている。
【００２７】
（製造方法）
かかる構成の薄型物品用ホルダ１の構成を、その製造方法を説明しながら詳述する。図３および図４は、本発明を適用した薄型物品用ホルダ１の製造方法を示す説明図である。なお、図３（ａ１）、（ｂ１）、および図４（ａ１）、（ｂ１）はいずれも、シート素材１００および台紙１０を一方面側から見た様子を示し、図３（ａ２）、（ｂ２）、および図４（ａ２）、（ｂ２）はいずれも、シート素材１００および台紙１０を他方面側から見た様子を示してある。
【００２８】
本形態の薄型物品用ホルダ１を製造するには、まず、図３（ａ１）、（ａ２）に示すように、大型のシート素材１００を準備した後、印刷工程では、後述する台紙形成工程でシート素材１００を折り重ねた際に外側に位置する面側に各パターンＡ、Ｂ、Ｃ、Ｄ、Ｅを印刷する。
【００２９】
次に、図３（ｂ１）、（ｂ２）に示すスリット形成工程では、シート素材１００において、第１シート部１ａとなるべき領域において２つの頁部１１、１２となるべき領域の各々に、薄型物品の端部が差し込まれるスリット２１１、２１２、２２１、２２２、２３１、２３２、２４１、２４２を形成する。その際、薄型物品を１つ保持するのに必要なスリットを形成するための型材を複数、準備しておき、スリット形成工程では、複数の型材のうち、指定された型材を用いて前記のスリットを形成する。従って、１頁全体に対する型材を準備した場合と違って、スリットのレイアウトを変更する場合でも、型材を新たに準備する必要がない。
【００３０】
次に、台紙形成工程では、シート素材１００を、図３（ｂ１）、（ｂ２）に矢印Ｙで示すように、２つ折りに重ねることにより、図４（ａ１）、（ａ２）で示すように、第１シート部１ａと第２シート部１ｂとが重なる台紙１０を形成する。その際、第１シート部１ａおよび第２シート部１ｂにおいてシート素材１００の折り曲げ部分１１０を除く３辺１２０、１３０、１４０を接着剤や両面テープにより接着して、図４（ｂ１）、（ｂ２）に示す台紙１０を形成する。なお、シート素材１００として大判を用い、接着までを行なった後、所定サイズに切断して台紙１０を製造してもよい。
【００３１】
次に、台紙折り曲げ工程では、図４（ｂ１）、（ｂ２）に矢印Ｘで示すように、第１シート部１ａを内側にして台紙１０を折り曲げ、図１に示すように、台紙１０の折り曲げ部分１５０の両側に、第１シート部１ａによって見開きの２つの頁部１１、１２を形成する。その結果、薄型物品用ホルダ１が完成する。ここで、台紙１０の折り曲げ部分１５０は、シート素材１００に用いた紙の目と平行である。従って、シート素材１００として比較的厚い紙を用いた場合において台紙１０が２重になっている場合でも、台紙１０を綺麗に折り曲げることができる。
【００３２】
（本形態の主な効果）
以上説明したように、本形態では、１枚のシート素材１００を折り重ねることにより、第１シート部１ａと第２シート部１ｂとが重なる台紙１０を形成し、かかる台紙１０をさらに折り曲げて、見開きの複数の頁部１１、１２を形成する。かかる構成によれば、シート素材１００が比較的薄い場合でも、丈夫な台紙１０を得ることができるので、薄くて丈夫な薄型物品用ホルダ１を実現することができる。
【００３３】
また、台紙１０は２重になっており、かつ、第１シート部１ａと第２シート部１ｂとは、シート素材１００の折り曲げ部分１１０を除く端部（３つの辺１２０、１３０、１４０）で接着してあるので、内側の第１シート部１ａにスリット２１１、２１２、２２１、２２２、２３１、２３２、２４１、２４２を形成するだけで、名刺２１０、２２０、情報記録ディスクのケース２３０、カタログ２４０などの薄型物品の端部をスリット２１１、２１２、２２１、２２２、２３１、２３２、２４１、２４２に差し込んで、薄型物品を保持することができる。従って、薄型物品を収納する個所毎に折り曲げ部分を形成して熱溶着するという手間のかかる作業を行なう必要がない。また、スリット２１１、２１２、２２１、２２２、２３１、２３２、２４１、２４２になっている部分以外は２重になっているので、シート素材１００として比較的薄いものを用いた場合でも、薄型物品を保持した際、台紙１０が変形することもない。
【００３４】
また、シート素材１００を台紙形成工程で折り重ねた際に外側に位置する面側のみにパターンＡ、Ｂ、Ｃ、Ｄ、Ｅを片面印刷するだけで、薄型物品用ホルダ１にパターンを印刷することができ、両面印刷を行なう必要がない分、印刷工程を効率よく行なうことができる。
【００３５】
また、シート素材１００は、紙製であるため、使用済みの薄型物品用ホルダ１を再生紙用に回収すればよいなど、使用後の処理が容易であり、かつ、環境に優しい商品といえる。
【００３６】
さらに、第１シート部１ａと第２シート部１ｂとはシート素材１００の折り曲げ部分１１０を除く３つの辺１２０、１３０、１４０に沿って接着したため、丈夫な台紙１０を構成することができる。また、第１シート部１ａと第２シート部１ｂとが袋状になっているので、スリット２１１、２１２、２２１、２２２、２３１、２３２、２４１、２４２から物品が入り込んでも、脱落することがなく、便利である。
【００３７】
（他の実施の形態）
上記実施の形態では、台紙１０を２つ折りにして薄型物品用ホルダ１を製造したが、図５（ａ）に示すように台紙１０を巻三つ折にして３つの頁部を形成した薄型物品用ホルダ１、図５（ｂ）に示すように台紙１０を観音折にして３つの頁部を形成した薄型物品用ホルダ１、あるいは図５（ｃ）に示すように台紙１０を巻四つ折にして４つの頁部を形成した薄型物品用ホルダ１に本発明を適用してもよい。
【００３８】
また、上記実施の形態では、薄型物品用ホルダ１を左右に開く構成になっていたが、上下に開くように構成してもよい。
【００３９】
また、上記実施の形態では、シート素材１００を台紙形成工程で折り重ねた際、第１シート部１ａと第２シート部１ｂを接着剤や両面テープで結合した構成を採用したが、第１シート部１ａおよび第２シート部１ｂの一方に形成したフックを他方に形成した穴に係合させて第１シート部１ａと第２シート部１ｂとを結合させた構造を採用してもよい。
【００４０】
さらに、上記実施の形態では、シート素材１００を横方向の折り曲げ部分１１０で折り曲げて台紙１０を形成した後、台紙１０を縦方向の折り曲げ部分１５０で折り曲げたが、図６（ａ）に示すように、シート素材１００を縦方向の折り曲げ部分１１０で折り曲げて、図６（ｂ）に示す台紙１０を形成した後、図６（ｃ）に示すように、台紙１０を縦方向の折り曲げ部分１５０で折り曲げてもよい。このような構成を採用するにあたって、シート素材１００に紙を用いる場合、折り曲げ部分１１０、１５０に平行に紙の目を合わせれば、折り曲げ部分１１０でのシート素材１００の折り曲げ、および折り曲げ部分１５０での台紙１０の折り曲げの双方を綺麗に行なうことができる。
【図面の簡単な説明】
【００４１】
【図１】（ａ）、（ｂ）、（ｃ）は各々、本発明を適用したホルダの外観を右側からみたときの説明図、このホルダの外観を左側からみたときの説明図、およびホルダを開いたときの内側の様子を示す説明図である。
【図２】（ａ）、（ｂ）、（ｃ）は各々、本発明を適用したホルダに形成したスリットを拡大して示す説明図、スリット形成部分の断面図、およびホルダに名刺などを保持した状態を示す説明図である。
【図３】本発明を適用した薄型物品用ホルダの製造方法を示す説明図である。
【図４】本発明を適用した薄型物品用ホルダの製造方法を示す説明図である。
【図５】本発明を適用した薄型物品用ホルダにおいて、台紙を別の構成で折り曲げた様子を示す説明図である。
【図６】本発明を適用した薄型物品用ホルダの別の製造方法を示す説明図である。
【符号の説明】
【００４２】
１  薄型物品用ホルダ
１ａ  第１シート部
１ｂ  第２シート部
１０  台紙
１１、１２  頁部
１００  シート素材
１１０  シート素材の折り曲げ部分
１５０  台紙の折り曲げ部分
２１０、２２０  名刺（薄型物品）
２１１、２１２、２２１、２２２、２３１、２３２、２４１、２４２  スリット
２３０  情報記録ディスクのケース（薄型物品）
２４０  カタログ（薄型物品）
【図１】
2010052312.tif 000003
【図２】
2010052312.tif 000004
【図３】
2010052312.tif 000005
【図４】
2010052312.tif 000006
【図５】
2010052312.tif 000007
【図６】
2010052312.tif 000008